(57)【特許請求の範囲】
【請求項１】
長方形状の表紙部の天端にフラップ、底端にボトムフラップが設けられ、該表紙部の短手方向端の何れか一方に背紙部の下背紙部が、何れか他方に上背紙部が夫々一体化された封筒展開紙本体を有し、当該封筒展開紙本体の縦長寸法の中央よりも底端寄りとなる位置に、底端に平行状となる上下二本の並行な切離線が設けられ、その中、封筒展開紙本体表紙部における下方がわの切離線だけは、それら切離線から下方に一体に準備される再生封筒部の再生フラップ形状に合わせた輪郭で上方がわの切離線に近付く状態とされ、封筒展開紙本体背紙部がわに設けられた上下二本の並行な切離線間隔よりも狭い間隔となるようにした切離帯部にすると共に、該切離帯部の封筒展開紙本体背紙部がわにおける上下二本の並行な切離線間に渡って切り目が入って付き合わせ状となる引剥端が用意され、該引剥端の左右何かの裏がわに支持されるようにした舌体が、当該引剥端の左右何かの表がわに露出状となるようにすると共に、該表紙部の該切離線よりも天端寄りは、ミシン孔線枠によって囲繞され、初回および２回目使用の宛先および発送元の表記範囲とされるようにした区画が設けられ、該表紙部の該切離線よりも底端寄りは、ミシン孔線枠によって囲繞され、再生利用の際の宛先および発送元の表記範囲とされるようにした区画が設けられ、当該封筒展開紙本体の該下背紙部が、該表紙部の内面に積層状に折り畳まれ、該上背紙部が、該表紙部の内面に積層状に折り畳まれ、該下背紙部および該上背紙部の互いに積層状とされた先端同士が貼着され、該ボトムフラップが該下背紙部および該上背紙部の底端に積層状に折り畳まれて貼着され、表紙部の天端のフラップと、該下背紙部および該上背紙部の天端との間に封入口が封止可能に開口されたものとすることにより、これら切離線ないし底端の範囲に再生封筒部が一体に準備されてなるものとしたことを特徴とする再生利用可能な封筒。
【請求項２】
長方形状の表紙部の天端にフラップ、底端にボトムフラップが設けられ、該表紙部の短手方向端の何れか一方に背紙部の下背紙部が、何れか他方に上背紙部が夫々一体化された封筒展開紙本体を有し、当該封筒展開紙本体の縦長寸法の中央よりも底端寄りとなる位置に、底端に平行状となる上下二本の並行な切離線が設けられ、その中、封筒展開紙本体表紙部における下方がわの切離線だけは、それら切離線から下方に一体に準備される再生封筒部の再生フラップ形状に合わせた輪郭で上方がわの切離線に近付く状態とされ、封筒展開紙本体背紙部がわに設けられた上下二本の並行な切離線間隔よりも狭い間隔となるようにした切離帯部にすると共に、該切離帯部の封筒展開紙本体背紙部がわにおける上下二本の並行な切離線間に渡って切り目からなる引剥端が用意され、該引剥端の左右何かの裏がわに支持されるようにした舌体が、当該引剥端の左右何かの表がわに露出状となるようにし、該表紙部の該切離線よりも天端寄りは、ミシン孔線枠によって囲繞され、初回および２回目使用の宛先および発送元の表記範囲とされるようにした切離線が設けられ、該表紙部の該切離線よりも天端寄りに、ミシン孔線枠によって囲繞された一次表記区画が設けられ、該表紙部の内面には、シートが積層状に配されてなる二次表示区画が、該一次表記区画の内面がわに隠蔽状に設けられ、該表紙部の該切離線よりも底端寄りに、ミシン孔線枠によって囲繞された再生表記区画が設けられ、該表紙部の内面には、シートが積層状に配されてなる再生二次表示区画が、該再生表記区画の内面がわに隠蔽状に設けられ、当該封筒展開紙本体の該下背紙部が、該表紙部の内面に積層状に折り畳まれ、該上背紙部が、該表紙部の内面に積層状に折り畳まれ、該下背紙部および該上背紙部の互いに積層状とされた先端同士が貼着され、該ボトムフラップが該下背紙部および該上背紙部の底端に積層状に折り畳まれて貼着され、表紙部の天端のフラップと、該下背紙部および該上背紙部の天端との間に封入口が封止可能に開口され、該切離線ないし底端に再生封筒部が一体に準備されてなるものとしたことを特徴とする再生利用可能な封筒。
【請求項３】
二次表示区画または再生表記区画の少なくとも何れか一方となるシートが、少なくとも表面にマット処理層が設けられた樹脂製透明フィルムまたは紙製透明フィルムの何れか一方に置き換えられたものとされ、該樹脂製透明フィルムまたは紙製透明フィルムの何れか一方の表面に対し、切手の貼着およびインクによる描き込みを可能なものとされてなる、請求項２記載の再生利用可能な封筒。
【請求項４】
二次表示区画または再生表記区画の少なくとも何れか一方となるシートが、少なくとも表面にマット処理層が設けられた樹脂製不透明フィルムまたは紙製不透明フィルムの何れか一方に置き換えられたものとされ、該樹脂製不透明フィルムまたは紙製不透明フィルムの何れか一方の表面に対し、切手の貼着およびインクによる描き込みを可能なものとされてなる、請求項２または請求項３何れか一記載の再生利用可能な封筒。
【請求項５】
二次表示区画または再生表記区画の少なくとも何れか一方となるシートが、該シートと、該シートの表面がわに積層された樹脂製透明フィルムまたは紙製透明フィルムの何れか一方からなる透明フィルムとの、互いの左右縁および下縁が封鎖され、上端縁が開口された袋状のものに置き換えられたものとしてなる、請求項２ないし請求項４何れか一記載の再生利用可能な封筒。                                                                          
【発明の詳細な説明】
【技術分野】
【０００１】
この発明は、郵便などによる発送の度に、宛先および発送元の表記を簡便に更新し、再生の度毎に、異なる宛先に発送することができる封筒技術に関連するものであり、特に、封筒を製造、提供する分野は勿論のこと、その輸送、保管、展示、販売および利用に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                            
【背景技術】
【０００２】
（着目点）
書類やその他の物品などを郵送や宅配便などによって発送する際に利用される封筒は、該封筒の表紙部に、宛先および発送元を記入して発送され、宛先に届けられた後に、受取人によって該封筒の天端付近などを鋏やペーパーナイフなど用いるなどして開封され、書類などが取り出されることとなり、使用済みの該封筒は、外の封筒類と一緒にまとめられて、古紙類としてリサイクル処理されるようにするケースもあるものの、それらの殆どは、只のゴミとして廃棄されてしまうのが実情であり、このように一度の利用だけで廃棄処分されるのは勿論のこと、これら封筒をリサイクル処理するにしても不経済であり、配達されて使用済みとは言え、殆ど痛んではいない封筒だけに、できることなら二度以上、本来の機能である郵送などに利用してからリサイクル処理に回すようにするのが、森林資源の保護や省エネルギーの観点から望ましいと言える。
【０００３】
（従来の技術）
こうした状況を反映し、その打開策となるような提案もこれまでに散見されない訳ではない。
例えば、下記の特許文献１（１）に提案されているものに代表されるように、本体部とフラップとを備えた封筒の底部を共用して返信用封筒部を本体部内に形成し、返信用封筒部に、返信用本体部と、切り取り線と折り目とにより画成するフラップ部とを設け、フラップ部を折り畳んだときこれと接する返信用封筒部の裏部表面に接着剤を塗布し、接着剤を覆って剥離紙を貼付することにより返信用封筒部を構成したものとされ、返信用封筒部を使用する際に、糊付けを行なう手間を省けるので封緘作業が容易になり、また、返信用封筒に貼付されている剥離紙が、返信用封筒を封緘するまでの間、接着剤が塗布された部分を覆い、他の書類等が接着してしまう事態を抑制するから、返信用封筒の使用時まで最適な状態を確保できるものとされた返信用封筒部を有する封筒がある。
【０００４】
更にまた、下記特許文献１（２）のような、帯状の用紙をローラにより送りながら、切り欠き工程、折り畳み工程、貼り付け工程、切断工程を経て封筒を形成する封筒の製造方法において、製造工程中に、用紙の幅方向にわたり一連の筋線を施す筋付け工程を設け、その筋線は、完成した封筒の外側であって、封筒底辺からの長さが定形封筒の横幅の範囲内である位置に、表裏連続した山折り線を形成するものであることを特徴とし、定形封筒の貼付口折り部を封筒裏側に、折込口折り部を封筒内側に、夫々容易に折り畳むことができ、また、定形封筒は、山折り線があるため折り目に沿ってぴたりと口折り部を折り畳むことができ、折り重なった部分が分厚くなることもないので、一方の口折り部を切り取る手間をかけなくともよく、従って大型封筒を切り取って定形の小型封筒として再利用する際、定形封筒の口折り部を容易に折り畳むことができると共に、大型封筒から切り取るだけで定形封筒として使用可能とする、再利用機能付き封筒の製造方法などの外、下記特許文献１（３）に示されるように、再利用の際に、封筒を２分するための切り取りミシン目と、再利用する封筒のフラップ部分を作るための切り取りミシン目、およびフラップを折り易くするためのスジを、封筒のフラップと底糊代を型抜きする際に同時に抜き加工した原紙を製袋してなるものとされ、鋏を使用しなくも簡単に再利用可能で、ミシン目が目立たず、生産コストを抑えることができるものとされた郵便封筒なども散見される。
【０００５】
しかし、前者特許文献１（１）ないし１（３）に示されているような返信用封筒部を有する封筒は何れも、当該封筒が、一度郵送などに利用された後、受取人が、当該返信用封筒部を有する封筒から、返信用封筒部（再生封筒部）を切り離し、該返信用封筒部（再生封筒部）を郵送などに利用するものとされており、通常は、二度の郵送（例えば往復などの郵送利用）に留まるものとなり、その後は、リサイクル処理されることとなってしまい、三度以上の郵送に利用するのが難しいという欠点を残すものであった。                                                                                  
【特許文献１】（１）特開２００１−１２２２８７号公報    （２）特開２００１−３２２１８８号公報    （３）実用新案登録第３０７６１３２号公報
【発明の概要】
【発明が解決しようとする課題】
【０００６】
（問題意識）
上述したとおり、従前までに提案のある各種の返信用封筒部を有する封筒などは、何れも、例えば往復などのように二度の郵送に利用するのに有効なものとなっているが、三度以上の郵送に利用するのが困難なものであり、紙資源の有効利用による貴重な森林資源の保護、および、紙資源のリサイクル処理に要するエネルギーの節減など経済的負担や自然環境への負荷の軽減を思量すると、１個の返信用封筒部を有する封筒を、三度以上の郵送にも再生利用可能とする新技術の実現化の可能性を痛感するに至ったものである。
【０００７】
（発明の目的）
そこで、この発明は、一度郵送などに利用された封筒を、その後、三度以上に亘って再生利用可能とする上、該封筒の再生利用のために要する更新作業の工数を大幅に削減し、より効率的に再生利用可能なものとすることができる新たな封筒技術の開発はできないものかとの判断から、逸速くその開発、研究に着手し、長期に亘る試行錯誤と幾多の試作、実験とを繰り返してきた結果、今回、遂に新規な構造の再生利用可能な封筒を実現化することに成功したものであり、以下では、図面に示すこの発明を代表する実施例と共に、その構成を詳述することとする。                                                                          
【課題を解決するための手段】
【０００８】
（発明の構成）
図面に示すこの発明を代表する実施例からも明確に理解されるように、この発明の再生利用可能な封筒は、基本的に次のような構成から成り立っている。
即ち、    長方形状の表紙部の天端にフラップ、底端にボトムフラップが設けられ、該表紙部の短手方向端の何れか一方に背紙部の下背紙部が、何れか他方に上背紙部が夫々一体化された封筒展開紙本体を有し、当該封筒展開紙本体の縦長寸法の中央よりも底端寄りとなる位置に、底端に平行状となる上下二本の並行な切離線が設けられ、その中、封筒展開紙本体表紙部における下方がわの切離線だけは、それら切離線から下方に一体に準備される再生封筒部の再生フラップ形状に合わせた輪郭で上方がわの切離線に近付く状態とされ、封筒展開紙本体背紙部がわに設けられた上下二本の並行な切離線間隔よりも狭い間隔となるようにした切離帯部にすると共に、該切離帯部の封筒展開紙本体背紙部がわにおける上下二本の並行な切離線間に渡って切り目が入って付き合わせ状となる引剥端が用意され、該引剥端の左右何かの裏がわに支持されるようにした舌体が、当該引剥端の左右何かの表がわに露出状となるようにすると共に、該表紙部の該切離線よりも天端寄りは、ミシン孔線枠によって囲繞され、初回および２回目使用の宛先および発送元の表記範囲とされるようにした区画が設けられ、該表紙部の該切離線よりも底端寄りは、ミシン孔線枠によって囲繞され、再生利用の際の宛先および発送元の表記範囲とされるようにした区画が設けられ、当該封筒展開紙本体の該下背紙部が、該表紙部の内面に積層状に折り畳まれ、該上背紙部が、該表紙部の内面に積層状に折り畳まれ、該下背紙部および該上背紙部の互いに積層状とされた先端同士が貼着され、該ボトムフラップが該下背紙部および該上背紙部の底端に積層状に折り畳まれて貼着され、表紙部の天端のフラップと、該下背紙部および該上背紙部の天端との間に封入口が封止可能に開口されたものとすることにより、これら切離線ないし底端の範囲に再生封筒部が一体に準備されたものとしてなる構成を要旨とする再生利用可能な封筒である。
【０００９】
この基本的な構成からなる再生利用可能な封筒は、その表現を変えて示すならば、長方形状の表紙部の天端にフラップ、底端にボトムフラップが設けられ、該表紙部の短手方向端の何れか一方に背紙部の下背紙部が、何れか他方に上背紙部が夫々一体化された封筒展開紙本体を有し、当該封筒展開紙本体の縦長寸法の中央よりも底端寄りとなる位置に、底端に平行状となる上下二本の並行な切離線が設けられ、その中、封筒展開紙本体表紙部における下方がわの切離線だけは、それら切離線から下方に一体に準備される再生封筒部の再生フラップ形状に合わせた輪郭で上方がわの切離線に近付く状態とされ、封筒展開紙本体背紙部がわに設けられた上下二本の並行な切離線間隔よりも狭い間隔となるようにした切離帯部にすると共に、該切離帯部の封筒展開紙本体背紙部がわにおける上下二本の並行な切離線間に渡って切り目からなる引剥端が用意され、該引剥端の左右何かの裏がわに支持されるようにした舌体が、当該引剥端の左右何かの表がわに露出状となるようにし、該表紙部の該切離線よりも天端寄りは、ミシン孔線枠によって囲繞され、初回および２回目使用の宛先および発送元の表記範囲とされるようにした切離線が設けられ、該表紙部の該切離線よりも天端寄りに、ミシン孔線枠によって囲繞された一次表記区画が設けられ、該表紙部の内面には、シートが積層状に配されてなる二次表示区画が、該一次表記区画の内面がわに隠蔽状に設けられ、該表紙部の該切離線よりも底端寄りに、ミシン孔線枠によって囲繞された再生表記区画が設けられ、該表紙部の内面には、シートが積層状に配されてなる再生二次表示区画が、該再生表記区画の内面がわに隠蔽状に設けられ、当該封筒展開紙本体の該下背紙部が、該表紙部の内面に積層状に折り畳まれ、該上背紙部が、該表紙部の内面に積層状に折り畳まれ、該下背紙部および該上背紙部の互いに積層状とされた先端同士が貼着され、該ボトムフラップが該下背紙部および該上背紙部の底端に積層状に折り畳まれて貼着され、表紙部の天端のフラップと、該下背紙部および該上背紙部の天端との間に封入口が封止可能に開口され、該切離線ないし底端に再生封筒部が一体に準備されたものとした構成からなる再生利用可能な封筒となる。                                                                              
【発明の効果】
【００１０】
以上のとおり、この発明の再生利用可能な封筒によれば、従前までのものとは違い、上記したとおりの固有の特徴ある構成から、一度郵送などに利用された封筒を、その後、三度以上に亘って再生利用可能とする上、該封筒の再生利用のために要する更新作業の工数を大幅に削減し、より効率的に再生利用可能なものとすることができる新たな封筒技術を実現化し、紙資源の有効利用による貴重な森林資源の保護、および、紙資源のリサイクル処理に要するエネルギーの節約などにより、経済的負担や自然環境への負荷を、従前までの技術に比較して格段に軽減することができるものになるという秀でた特徴が得られるものである。
【００１１】
加えて、この発明の再生利用可能な封筒の表紙部および再生封筒部が、横幅寸法Ｘに統一され、さらに、該再生封筒部の縦寸法Ａが、当該再生利用可能な封筒の表紙部の縦長寸法Ｙの１／６以上且つ２／３以下に規制されたものとなるようにすることにより、切離線を境に、当該封筒の表紙部の天端寄りの位置に、一次表記区画（二次表示区画）が配されたものとし、当該封筒の表紙部の底端寄りの位置に、再生封筒部の再生表記区画（再生二次表示区画）が配され、当該封筒の一次表記区画および二次表示区画を利用して２回以上の郵送利用が可能となる上、当該封筒から切り離された再生封筒部は、該再生封筒部の再生表記区画および再生二次表示区画を利用して２回以上の郵送利用が可能となり、合計４回以上の郵送利用が可能になるものとすることができるという特徴的な効果を発揮するものとなる。
【００１２】
また、二次表示区画または再生表記区画の少なくとも何れか一方となるシートが、少なくとも表面にマット処理層が設けられた樹脂製透明フィルムまたは紙製透明フィルムの何れか一方に置き換えられたものは、宛先や発送元の記載された書類や紙類などを透かして見えるよう同封して利用することの外に、二次表示区画または再生表記区画の少なくとも何れか一方の表面に対し、切手の貼着およびインクによる描き込みや印刷などが可能なものとなるから、再利用の際には、利用者にとって都合の良い方法で、直接的にペン類で手書きしたりプリンターやスタンプ類などを利用して印字したりするなどして、より利便性に優れた再利用を実現化できるものになる。
【００１３】
さらにまた、二次表示区画または再生表記区画の少なくとも何れか一方となるシートが、少なくとも表面にマット処理層が設けられた樹脂製不透明フィルムまたは紙製不透明フィルムの何れか一方に置き換えられたものは、該樹脂製不透明フィルムまたは紙製不透明フィルムの何れか一方の表面に対し、切手の貼着およびインクによる書き込みや印刷などを可能なものとされてなり、直接的にペン類で手書きしたりプリンターやスタンプ類などを利用して印字したりすることが可能となり、しかも、各種の不透明フィルムは、この発明の再生利用可能な封筒や再生封筒部内に封入された文書類などが視覚的に隠蔽されるものとなり、重要書類などの郵送にも利用可能なものとなる。
【００１４】
そしてまた、二次表示区画または再生表記区画の少なくとも何れか一方となるシートが、該シートと、該シートの表面がわに積層された樹脂製透明フィルムまたは紙製透明フィルムの何れか一方からなる透明フィルムとの、互いの左右縁および下縁が封鎖され、上端縁が開口された袋状のものに置き換えられたものは、二次表示区画または再生表記区画の少なくとも何れか一方に対し、夫々の形状寸法にあったカード類を着脱自在に挿着することが可能となり、必要に応じて宛先や発送元などの文字情報が異なるカード類を差し替えて、合計４回を超えて再利用を繰り返すことができるものになるという特段の効果を発揮するものとなる。
【００１５】
さらに、切離線が、封筒の周囲を一周する帯状部であって、該帯状部の上下縁の夫々に沿って無端状のミシン孔線が設けられると共に、該帯状部の封筒の周囲を一周する中途の少なくとも一箇所に、該帯状部の周回り方向の端部が付き合わせ状となるよう切断された引剥端が設けられてなるものとされた切離帯部に置き換えられたこの発明の再生利用可能な封筒によれば、再生封筒部を切り離す際に、該切離帯部の引剥端を摘まみ、該切離帯部をこの発明の再生利用可能な封筒から引き剥がすように操作するだけで、鋏やカッターなどの工具類を一切要さずとも、簡単に分離することができるから、再生封筒部を利用開始する場合の作業工数を大幅に削減し、より効率的に利用することができるものになるという大きな効果を奏することになる。                                                                  
【発明を実施するための最良の形態】
【００１６】
上記したとおりの構成からなるこの発明の実施に際し、その最良もしくは望ましい形態について説明を加えることにする。
封筒展開紙本体は、該封筒展開紙本体を袋状に折り畳み、袋状に糊付けされることにより、この発明の再生利用可能な封筒を製造可能とする機能を担い、換言すると、袋状に折り畳まれ、糊付けされてなる、この発明の再生利用可能な封筒が、糊付け部分が貼着されるまでの前段階の展開されたシート状態のものであり、より具体的に示すと、横幅が寸法Ｘ、縦長が、該横幅寸法Ｘよりも長い寸法Ｙに設定された長方形状の表紙部を有し、該表紙部の天端にフラップが設けられ、該表紙部の底端にボトムフラップが設けられ、該表紙部の短手方向端の何れか一方に背紙部の一部となる下背紙部が、該表紙部の短手方向端の何れか他方に該背紙部の他部となる上背紙部が夫々折り目を介して一体化されたものであると言うことができ、後述する実施例にも示すように、該横幅寸法Ｘおよび縦長寸法Ｙは、例えば、ＪＩＳ規格(日本工業規格、以降省略する)の横幅寸法Ｘが２４０ｍｍ、縦長寸法Ｙが３３２ｍｍの角形２号封筒や、横幅寸法Ｘが２１６ｍｍ、縦長寸法Ｙが２７７ｍｍの角形３号封筒などに準じた寸法、形状のものとするのが望ましい。
【００１７】
背紙部の下背紙部および上背紙部は、表紙部と共にこの発明の再生利用可能な封筒の筒状部分の一部となる機能を担うものであり、表紙部の短手方向端の何れか一方に下背紙部が、また、短手方向端の何れか他方に上背紙部が、夫々の折り目を介して一体化され、該折り目を境に折り畳まれた下背紙部の短手方向の先端に対し、該折り目を境に折り畳まれた上背紙部の短手方向の先端の糊代とされた部分が積層状に糊付けされ、表紙部と下背紙部および上背紙部とが筒状に一体化されたものとなり、より具体的には、この発明の再生利用可能な封筒の生産性を考慮すると、下背紙部の短手方向の横幅寸法が、上背紙部の短手方向の横幅寸法よりも短く設定されたものや、下背紙部の短手方向の横幅寸法が、上背紙部の短手方向の横幅寸法よりも長く設定されたもの、または、下背紙部の短手方向の横幅寸法と、上背紙部の短手方向の横幅寸法とが略等しく設定されたものの何れか一とすべきであり、後述する実施例にも示しているように、下背紙部および上背紙部の天端（封入口の背がわ天縁部分）には、表紙部の短手方向の横幅寸法の左右端から、同短手方向の左右端間の中央に向かうに従い、表紙部の天端（フラップの基端）よりも低くなるよう傾斜された肩（オガミ）形状とされたものとするのが良い。
【００１８】
切離線は、この発明の再生利用可能な封筒から、再生封筒部を切り離すための線状境界を表記する機能を担うものであり、この発明の再生利用可能な封筒から切り離された再生封筒部のサイズ、および、再生封筒部への書類の封入作業などの利便性を考慮すると、封筒展開紙本体の背紙部の下背紙部および上背紙部の底端から天端がわに該縦長寸法Ｙの１／６以上且つ２／３以下の縦寸法Ａとされた位置、および、該表紙部の底端から天端がわに該縦長寸法Ｙの１／６以上且つ２／３以下の縦寸法Ａとされた位置に、再生フラップの輪郭形状が加えられた位置に、該表紙部、該表紙部に折り目を介して一体化された下背紙部および上背紙部に及ぶ当該封筒展開紙本体の全幅寸法に渡る印刷表示線とすべきであり、該印刷表示線は、鋏やカッターなどを使用することなく切り離し可能なミシン孔線とすることが可能であり、後述する実施例にも示しているが、切離線は、再生封筒部の再生フラップ、および、再生封入口の背がわ範囲に沿って設けられたものとするのが望ましいと言える。
【００１９】
また、切離線は、この発明の再生利用可能な封筒の周囲を一周する帯状部であって、該帯状部の上下縁の夫々に沿って無端状のミシン孔線が設けられると共に、該帯状部の当該再生利用可能な封筒の周囲を一周する中途の少なくとも一箇所に、該帯状部の周回り方向の中途部が切断され、一対の引剥端同士が付き合わせ状に対峙するよう設けられてなるものとされた切離帯部に置き換えられたものとすることができ、後述する実施例にも示しているように、切離帯部の何れか一方の引剥端には、引き剥がし操作を容易にする舌体の基端がわが、当該再生利用可能な封筒の内がわに挿入されると共に、該一方の引剥端の内側面に貼着され、該舌体の先端がわが、該何れか一方の引剥端から、同一対の引剥端同士間を通じて当該再生利用可能な封筒の外側に露出された状態に配されたものとすることが可能である。
【００２０】
一次表記区画は、この発明の再生利用可能な封筒の初回および二回目の発送の際に、宛先および発送元の表記範囲となる機能を分担し、当該再生利用可能な封筒の表紙部の切離線よりも天端寄りに、ミシン孔線枠によって囲繞された一次表記区画が設けられ、該表紙部の内面には、シートが積層状に配されてなる二次表示区画が、該一次表記区画の内面がわに隠蔽状に設けられたものとしなければならず、より具体的には、後述する実施例にも示すように、該表紙部の該切離線よりも天端寄りに、宛先および発送元の表示領域となる範囲が、ミシン孔線枠によって囲繞された一次表記区画が設けられ、該表紙部の内面には、該一次表記区画よりも糊代の分大きく設定されたシートが積層状に配され、該シートの外周縁の糊代が、該一次表記区画のミシン孔線枠より外周囲がわとなる該表紙部の内面に貼着されて二次表示区画とされ、該二次表示区画が、該一次表記区画（表紙部）の内面がわに隠蔽状に設けられたものとすべきである。
【００２１】
この発明の再生利用可能な封筒は、表紙部の天端にフラップを有するものとすることができる外、表紙部の天端および背紙部の天端の双方にフラップが設けられたものとし、当該再生利用可能な封筒を第一回目の発送に利用する場合には、何れか一方のフラップを当該再生利用可能な封筒の内がわに折り込んで収納し、何れか他方のフラップを用いて封緘し発送するようにし、当該再生利用可能な封筒の第二回目の発送に際し、使用済みとなった他方のフラップを切除したり内がわに折り畳んだりするなどして処理した上、当該再生利用可能な封筒の内がわに折り込んで収納されていた何れか一方のフラップを用いて封緘し発送可能とされたものとすることができる。
【００２２】
再生封筒部は、この発明の再生利用可能な封筒から、同再生利用可能な封筒の切離線より底端がわが切り離され、新たな封筒としてさらに複数回に亘って郵送などに利用可能なものになるという機能を担っており、当該再生利用可能な封筒の表紙部の切離線よりも底端寄りに、ミシン孔線枠によって囲繞された再生表記区画が設けられ、該表紙部の内面には、シートが積層状に配されてなる再生二次表示区画が、該再生表記区画の内面がわに隠蔽状に設けられたものとしなければならず、より具体的には、後述する実施例にも示しているとおり、表紙部の該切離線および再生フラップよりも底端寄りに、宛先および発送元の表示領域となる範囲が、ミシン孔線枠によって囲繞された再生表記区画が設けられ、該表紙部の内面には、該再生表記区画よりも糊代の分大きく設定されたシートが積層状に配され、該シートの外周縁の糊代が、該再生表記区画のミシン孔線枠より外周囲がわとなる該表紙部の内面に貼着され、再生二次表示区画が、該再生表記区画の内面がわに隠蔽状に設けられた上、この発明の再生利用可能な封筒の該切離線ないし底端に該再生封筒部が一体に準備されたものとすべきである。
【００２３】
そして、再生封筒部は、この発明の再生利用可能な封筒から、切離線に沿って分離されると、概ねＪＩＳ規格に準じて設定された場合の、この発明の再生利用可能な封筒の横幅寸法Ｘおよび縦長寸法Ｙの中、横幅寸法Ｘをそのままとし、縦寸法Ａが、この発明の再生利用可能な封筒の縦長寸法Ｙの１／６以上且つ２／３以下に設定されたものとしなければならず、より具体的には、後述する実施例にも示すように、横幅寸法Ｘが２３５ｍｍ、縦長寸法Ｙが３３２ｍｍの角形２号封筒に設定されたこの発明の再生利用可能な封筒に設けられた再生封筒部は、該横幅寸法Ｘおよび縦寸法Ａが、例えば、ＪＩＳ規格（封筒）の横幅寸法Ｘが２３５ｍｍ、縦寸法Ａが１２０ｍｍの長形３号の封筒に準じた外郭寸法に設定されたものとすることができる外、後述する実施例には示していないが、この発明の再生利用可能な封筒が、横幅寸法Ｘが２１６ｍｍ、縦長寸法Ｙが２７７ｍｍの角形３号封筒に設定されたもとした場合には、再生封筒部の該横幅寸法Ｘおよび縦寸法Ａが、例えば、横幅寸法Ｘが２１６ｍｍ（ＪＩＳ規格では２２０ｍｍ）、縦寸法Ａが１１０ｍｍの封筒、または、横幅寸法Ｘが２１６ｍｍ（ＪＩＳ規格では２２５ｍｍ）、縦寸法Ａが９０ｍｍの封筒などのＪＩＳ規格（封筒）に略準じた寸法、形状のものとするのが望ましい。
【００２４】
再生表記区画は、この発明の再生利用可能な封筒の少なくとも二回の使用後に、同封筒から分離された再生封筒部の少なくとも初回および二回目の発送の際に、宛先および発送元の表記範囲となる機能を分担し、当該再生封筒部の表紙部の該切離線よりも底端寄りに、ミシン孔線枠によって囲繞された再生表記区画が設けられ、該表紙部の内面には、シートが積層状に配されてなる再生二次表示区画が、該再生表記区画の内面がわに隠蔽状に設けられたものとしなければならず、より具体的には、後述する実施例にも示しているように、当該再生封筒部の表紙部の切離線および再生フラップよりも底端寄りに、宛先および発送元の表示領域となる範囲が、ミシン孔線枠によって囲繞された再生表記区画が設けられ、該表紙部の内面には、該再生表記区画よりも糊代の分大きく設定されたシートが積層状に配され、該シートの外周縁の糊代が、該再生表記区画のミシン孔線枠より外周囲がわとなる該表紙部の内面に貼着されて再生二次表示区画とされ、該再生二次表示区画が、該再生表記区画（表紙部）の内面がわに隠蔽状に設けられたものとするのが望ましい。
【００２５】
二次表示区画または再生表記区画の何れか一方となるシートは、この発明の再生利用可能な封筒、または、この発明の再生利用可能な封筒から分離された再生封筒部の何れか一方に挿入された挿入紙に表示された宛先や発送元などの表示情報を外部より透視可能とするか、または、二次表示区画または再生表記区画の何れか一方に宛先や発送元などの表示情報を記入、表示可能とする機能を分担するものであり、より具体的には、透明シートまたは不透明シート、または、少なくとも表面にインクなどによる記入や切手の貼り付けなどが可能なマット処理層が設けられた透明シートまたは不透明シートとすることが可能であり、さらにまた、この発明の再生利用可能な封筒の封筒展開紙本体と同じ素材か、または、同等の素材かの何れか一方の素材製のものとすることが可能であり、後述する実施例にも示しているように、シートは、ポリプロピレン、ポリエチレンなどの樹脂製透明フィルムまたは樹脂製不透明フィルムとすることが可能である外、少なくとも表面にマット処理層が設けられた樹脂製透明フィルムまたは樹脂製不透明フィルムとすることが可能であり、また、不透明な紙製シート、または、グラシン紙、パラフィン紙などの紙製透明フィルムとすることが可能であり、さらにまた、シートと、該シートの表面がわに積層された樹脂製透明フィルムまたは紙製透明フィルムの何れか一方からなる透明フィルムとの、互いの左右縁および下縁が封鎖され、上端縁が開口され、宛先や発送元などの情報が表示された挿入紙を挿入可能な袋状とされたものとすることができる。
【００２６】
再生封筒部の再生フラップは、前述の如く該再生封筒部の表紙部がわにのみ設けられたものとすることが可能である外、再生フラップを設けず、別途準備した再生封入口を粘着テープや、短冊状のシート類が、該再生封筒部の表紙部の天端から背紙部の天端に跨がるよう貼着されることによって封緘されるものとすることができる外、該再生封筒部の表紙部および背紙部の双方に再生フラップが設けられ、該再生封筒部の一回目の郵送への使用の際に、該再生封筒部内に発送する書類などを封入し、背紙部がわの再生フラップを、該再生封筒部の内がわに折り畳み挿入状とし、表紙部がわの再生フラップを該再生封筒部の背紙部の外面に積層状に折り畳み貼着して封緘し、再生表記区画（区画枠線）内に宛先および発送元を書き込みや印刷などによって表記し、投函して郵送に利用し、該再生封筒部の受取人は、該該再生封筒部の表紙部がわの再生フラップを、背紙部がわから剥離するか、該再生フラップの根元（再生封入口）付近から切り開くかするなどして開封し、該再生封筒部の内がわに折り込まれている背紙部がわの再生フラップを展開させ、該再生封筒部内から書類などを取り出し、該再生封筒部の受取人が、該再生封筒部の二回目の郵送を行う場合には、該再生封筒部の再生表記区画を剥がし口角部からシン孔線枠に沿って引き剥がして再生二次表示区画のシートを外部に露出状とした上、該再生封筒部内に郵送する書類などを封入すると共に、該再生封筒部内の書類などの最も再生二次表示区画がわとなる位置に、該再生封筒部内に略一致する縦横寸法に裁断した用紙であって、該再生二次表示区画に相当する範囲に、宛先および発送元が表記された挿入紙を同封し、該再生二次表示区画のシートを介して該挿入紙に表記された宛先および発送元が、該再生封筒部の外部から透視可能な状態に配した上、該表紙部がわの再生フラップが残存している場合には、該該表紙部がわの再生フラップを該再生封筒部内に折り畳んで収納し、該背紙部がわの再生フラップを用いて封緘し、該再生封筒部の該表紙部の再生二次表示区画の余となる範囲であって切手貼着用となる余白部分に切手を貼着し投函、郵送発送することが可能なものとすることができる。
以下では、図面に示すこの発明を代表する実施例と共に、その構造について詳述することとする。                                                                                                
【図面の簡単な説明】
【００２７】
図面は、この発明の再生利用可能な封筒の技術的思想を具現化した代表的な幾つかの実施例を示すものである。
【図１】この発明の再生利用可能な封筒を示す正面図である。
【図２】この発明の再生利用可能な封筒を示す背面図である。
【図３】展開されたこの発明の再生利用可能な封筒の内面を示す平面図である。
【図４】この発明の再生利用可能な封筒の利用状態を示す正面図である。
【図５】再生封筒部の切離および利用状態を示す正面図である。
【図６】切離帯部が設けられたこの発明の再生利用可能な封筒を示す正面図である。
【図７】切離帯部が設けられたこの発明の再生利用可能な封筒を示す背面図である。
【図８】展開された切離帯部を有するこの発明の再生利用可能な封筒の内面を示す斜視図である。
【図９】切離帯部より切離された再生封筒部を示す正面図である。
【実施例１】
【００２８】
図１ないし図５に示す事例は、長方形状の表紙部２の長手方向端にフラップ２１、ボトムフラップ２３、短手方向端に背紙部３の下背紙部３０および上背紙部３１が一体化された封筒展開紙本体１０の縦長寸法の中央よりも底端２２寄りとなる位置に、底端２２に平行状となる切離線４が設けられ、該表紙部２の該切離線４よりも天端２０寄りに、ミシン孔線枠５０によって囲繞された一次表記区画５が設けられ、該表紙部２の内面には、シート６０が積層状に配されてなる二次表示区画６が、該一次表記区画５の内面がわに隠蔽状に設けられ、該表紙部２の該切離線４よりも底端２２寄りに、ミシン孔線枠８０によって囲繞された再生表記区画８が設けられ、該表紙部２の内面には、シート９０が積層状に配されてなる再生二次表示区画９が、該再生表記区画８の内面がわに隠蔽状に設けられ、当該封筒展開紙本体１０の該下背紙部３０が、該表紙部２の内面に積層状に折り畳まれ、該上背紙部３１が、該表紙部２の内面に積層状に折り畳まれ、該下背紙部３０および該上背紙部３１の互いに積層状とされた先端同士が貼着され、該ボトムフラップ２３が該下背紙部３０および該上背紙部３１の底端２２に積層状に折り畳まれて貼着され、表紙部２の天端２０のフラップ２１と、該下背紙部３０および該上背紙部３１の天端２０との間に封入口Ｍが、封止可能に開口され、該切離線４ないし底端２２に再生封筒部７が一体に準備されたものとしてなる、この発明の再生利用可能な封筒における代表的な一実施例を示すものである。
【００２９】
それら各図からも明確に把握できるとおり、この発明の再生利用可能な封筒１は、横幅寸法Ｘが２３５ｍｍ、縦長寸法Ｙが３３２ｍｍのＪＩＳ規格の角形２号封筒に相当する寸法に設定された長方形状の表紙部２を有し、該表紙部２の天端２０にフラップ２１が設けられ、該表紙部２の底端２２にボトムフラップ２３が設けられ、該表紙部２の短手方向の一方の端２４に背紙部３の一部となる下背紙部３０が、該表紙部２の短手方向の他方の端２５に該背紙部３の他部となる上背紙部３１が夫々折り目２４，２５を介して一体化された封筒展開紙本体１０を有し、該封筒展開紙本体１０は、ケント紙、クラフト紙、いろがみ、和紙、トレーシングペーパー、レイド紙、その他の紙製のものとするのが望ましいが、樹脂フィルム製、繊維製、金属箔製、木製、竹皮製、皮革製、その他のシート状素材製のものの少なくとも何れか一からなるものとすることが可能である。
【００３０】
当該封筒展開紙本体１０の背紙部３の下背紙部３０および上背紙部３１の底端２２から天端２０がわに、該縦長寸法Ｙの３３２ｍｍの１／６以上且つ２／３以下に設定された縦寸法Ａが１２０ｍｍとされた位置、および、該表紙部２の底端２２から天端２０がわに該縦長寸法Ｙの３３２ｍｍの１／６以上且つ２／３以下（より具体的には、該縦長寸法Ｙの３３２ｍｍの１／６（５５．３３ｍｍ）以上且つ２／３（２２１．３３ｍｍ）以下）の縦寸法Ａが１２０ｍｍとされた位置に対し、再生フラップ７０の輪郭形状が加えられた位置に、該表紙部２、該表紙部２に折り目２４，２５を介して一体化された下背紙部３０および上背紙部３１に及ぶ当該封筒展開紙本体１０の全幅寸法に渡る印刷表示線４０またはミシン孔線４０の何れか一方からなる切離線４が設けられ、該表紙部２の該切離線４よりも天端２０寄りであって、しかも切手などが貼り付けられる範囲となる正面の左寄りの位置に設定された切手貼着用となる余白部分２６を除いた中央ないし右がわ寄りとなる位置に、宛先および発送元の表示領域となる範囲が、略矩形状のミシン孔線枠５０によって囲繞された一次表記区画５が設けられている。
【００３１】
表紙部２に矩形状のミシン孔線枠５０によって囲繞された一次表記区画５は、該表紙部２の表面の該ミシン孔線枠５０上となる位置か、該表紙部２の表面の該ミシン孔線枠５０の直近の内がわに沿う位置か、または、該表紙部２の表面の該ミシン孔線枠５０の直近の外がわに沿う位置かの何れか一に、該一次表記区画５の範囲を示す、区画枠線５２が印刷表示されたものとされ、また、矩形状の該ミシン孔線枠５０の４つの角部分のうちの少なくとも１つの角部分のミシン孔線部分が、連続するスリット状に切断された剥がし口角部５１とされたものとなっている。
【００３２】
図３に示すように、該表紙部２の内面には、該一次表記区画５よりも貼代６１の分大きく設定された透明樹脂フィルム製のシート６０が積層状に配され、該シート６０の外周縁の貼代６１が、該一次表記区画５のミシン孔線枠６０より外周囲がわとなる該表紙部２の内面に貼着されてなる二次表示区画６が、該一次表記区画５の内面がわに隠蔽状に設けられている。
【００３３】
また、該表紙部２の該切離線４および再生フラップ７０よりも底端２２寄りであって、切手貼着用となる余白部分８３を除いた位置に、宛先および発送元の表示領域となる範囲が、矩形状のミシン孔線枠８０によって囲繞された再生表記区画８が設けられ、該表紙部２の表面に矩形状のミシン孔線枠８０によって囲繞された再生表記区画８は、該表紙部２の表面の該ミシン孔線枠８０上となる位置か、該表紙部２の表面の該ミシン孔線枠８０の直近の内がわに沿う位置か、または、該表紙部２の表面の該ミシン孔線枠８０の直近の外がわに沿う位置かの何れか一に、該再生表記区画８の範囲を示す、区画枠線８２が印刷表示されたものとされ、また、矩形状の該ミシン孔線枠８０の４つの角部分のうちの少なくとも１つの角部分のミシン孔線部分が、連続するスリット状に切断された剥がし口角部８１とされ、該表紙部２の内面には、該再生表記区画８よりも貼代９１の分大きく設定されたシート９０が積層状に配され、該シート９０の外周縁の貼代９１が、該再生表記区画８のミシン孔線枠８０より外周囲がわとなる該表紙部２の内面に貼着されてなる再生二次表示区画９が、該再生表記区画８の内面がわに隠蔽状に設けられている。
【００３４】
そして、当該封筒展開紙本体１０の該下背紙部３０が、該折り目２４を境に、該表紙部２の内面に積層状に折り畳まれ、該上背紙部３１が、該折り目２５を境に、該表紙部２の内面に積層状に折り畳まれ、該下背紙部３０および該上背紙部３１の互いに積層状とされた先端同士が貼着され、背紙部３とされ、該ボトムフラップ２３が、該背紙部３の該下背紙部３０および該上背紙部３１の底端部分２２に積層状に折り畳まれて貼着され、該表紙部２の天端２０のフラップ２１と、該背紙部３の該下背紙部３０および該上背紙部３１の天端との間に封入口Ｍが封止可能に開口され、該切離線４ないし底端２２の間に、横幅寸法Ｘが２３５ｍｍ、縦寸法Ａが１２０ｍｍのＪＩＳ規格の長形３号の封筒に設定された再生封筒部７が一体に準備された、この発明の再生利用可能な封筒１となり、図１中の寸法Ｂは、該表紙部２の縦長寸法Ｙの３３２ｍｍから再生封筒部７の縦寸法Ａの１２０ｍｍが差し引かれた部分の縦長寸法Ｂであって２１２ｍｍとなる。
【００３５】
また、この発明の再生利用可能な封筒１は、二次表示区画６または再生表記区画８の少なくとも何れか一方となるシート６０（，９０）が、少なくとも表面にマット処理層が設けられた樹脂製透明フィルム６０（，９０）または紙製透明フィルム６０（，９０）の何れか一方に置き換えられたものとされ、該樹脂製透明フィルム６０（，９０）または紙製透明フィルム６０（，９０）の何れか一方の表面に対し、切手の貼着およびインクによる書き込みや印刷などを可能とされたものとすることができる。
【００３６】
そしてまた、この発明の再生利用可能な封筒１は、二次表示区画６または再生表記区画８の少なくとも何れか一方となるシート６０（，９０）が、少なくとも表面にマット処理層が設けられた樹脂製不透明フィルム６０（，９０）または紙製不透明フィルム６０（，９０）の何れか一方に置き換えられたものとされ、該樹脂製不透明フィルム６０（，９０）または紙製不透明フィルム６０（，９０）の何れか一方の表面に対し、切手の貼着およびインクによる書き込みや印刷などを可能とされたものとすることができる。
【００３７】
さらにまた、この発明の再生利用可能な封筒１は、二次表示区画６または再生表記区画８の少なくとも何れか一方となるシート６０（，９０）が、該シート６０（，９０）と、該シート６０（，９０）の表面がわに積層された樹脂製透明フィルムまたは紙製透明フィルムの何れか一方からなる透明フィルムとの、互いの左右縁および下縁が封鎖され、上端縁が開口された袋状のものに置き換えられ、二次表示区画６または再生表記区画８内に記載すべき、宛先や発送元などの文字情報が記載されたカードや書類などを挿入可能、且つ、表紙部２の外がわから該シート６０（，９０）を透かして該カードや書類などに記載された宛先や発送元などの文字情報を読み取り可能とされたものとすることが可能である。
【００３８】
（実施例１の作用・効果）
以上のとおりの構成からなるこの発明の再生利用可能な封筒１を用い、第一回目の郵送に利用する場合には、図１および図２に示すように、表紙部２および背紙部３の天端２０に開口された封入口Ｍから発送する書類などを封入し、フラップ２１を背紙部３がわに折り畳み、積層状に貼着し封緘した上、該表紙部２の一次表記区画５の区画枠線５２内に宛先および発送元を記入または印刷することとなるが、該区画枠線５２が表示されているから、宛先および発送元の記入範囲を誤ることがなく、さらに、該表紙部２の一次表記区画５の区画枠線５２内に図示しない切手を貼着して投函、郵送発送することとなる。
【００３９】
この発明の再生利用可能な封筒１による第一回目の郵便の受取人は、該フラップ２１を開き、当該再生利用可能な封筒１内の書類などを取り出した後、図４に示すように、該表紙部２の該一次表記区画５を、剥がし口角部５１からミシン孔線枠５０を境に引き剥がして除去し、透明樹脂フィルム製のシート６０からなる二次表示区画６を外部に露出させた上、該再生利用可能な封筒１内に第二回目に郵送する書類などを封入すると共に、該再生利用可能な封筒１内の書類などの最も二次表示区画６がわとなる位置に、該再生利用可能な封筒１内に略一致する縦横寸法の例えばＪＩＳ規格Ａ４の用紙であって、該二次表示区画６に相当する範囲に、第二回目の郵送の宛先および発送元が記入または印刷された挿入紙Ｐ１を同封し、該二次表示区画６の透明樹脂フィルム製のシート６０を介して該挿入紙Ｐ１に表記された宛先および発送元が、該再生利用可能な封筒１の外部から透視可能な状態に配した上、該フラップ２１を閉じて封緘し、同図１中の寸法線に示すように、該表紙部２の縦長寸法Ｙから縦寸法Ａを差し引いた縦寸法Ｂに相当する範囲の中、該一次表記区画５の余となる正面左寄りの範囲に設けられた切手貼着用となる余白部分２６に切手を貼着し、第二回目の投函、郵送発送することとなる。
【００４０】
この発明の再生利用可能な封筒１による第二回目の郵便の受取人は、該フラップ２１を開き、当該再生利用可能な封筒１内の書類などを取り出した後、図５中の白抜き矢印に示すように、当該再生利用可能な封筒１の切離線４より、該切離線４が印刷表示線４０の場合には、鋏やカッターなどを用いるなどして裁断し、また、該切離線４がミシン孔線４０の場合には、該ミシン孔線４０を境に引き裂き操作するなどして再生封筒部７を分離する。
【００４１】
該再生封筒部７を第三回目の郵送に利用する場合には、該再生封筒部７の表紙部２と背紙部３との間に開口された再生封入口７１から該再生封筒部７内に郵送する書類などを封入し、再生フラップ７０を背紙部３がわに折り畳んで貼着、封緘した上、該再生封筒部７の表紙部２の再生表記区画８の区画枠線８２内に宛先および発送元を記入または印刷し、その際、該区画枠線８２は、宛先および発送元の記入範囲を明確に示すものとなって誤ることがない。そして、該表紙部２の再生表記区画８の区画枠線８２内に図示しない切手を貼着して投函、郵送発送することとなる。
【００４２】
該再生封筒部７による第三回目の郵便の受取人は、該再生フラップ７０を開封し、該再生封筒部７内の書類などを取り出した後、同図５に示すように、再生表記区画８を剥がし口角部８１からミシン孔線枠８０に沿って引き剥がし、再生二次表示区画９の樹脂製透明フィルムのシート９０を外部に露出状とした上、該再生封筒部７内に第四回目に郵送する書類などを封入すると共に、該再生封筒部７内の書類などの最も再生二次表示区画９がわとなる位置に、該再生封筒部７内に略一致する縦横寸法に裁断した用紙であって、該再生二次表示区画９に相当する範囲に、第四回目の郵送の宛先および発送元が記入または印刷された挿入紙Ｐ２を同封し、該再生二次表示区画９の透明樹脂フィルム製のシート９０を介して該挿入紙Ｐ２に表記された宛先および発送元が、該再生封筒部７の外部から透視可能な状態に配した上、該再生フラップ７０を閉じて封緘し、該再生封筒部７の該表紙部２の再生二次表示区画９の余となる範囲であって切手貼着用となる余白部分８３に切手を貼着し、第四回目の投函、郵送発送することとなる。                                                                          
【実施例２】
【００４３】
図６ないし図９に示す事例は、前記実施例１に記載の、この発明の再生利用可能な封筒１における切離線４が、当該封筒１の周囲を一周する帯状部４１であって、該帯状部４１の上下縁の夫々に沿って無端状４１のミシン孔線４０，４０が設けられると共に、該帯状部４１の封筒１の周囲を一周する中途の少なくとも一箇所に、該帯状部４１の周回り方向の端部が付き合わせ状となるよう切断された引剥端４２、４２が設けられてなるものとされた切離帯部４１が、置き換えられた状態に設けられたものであり、より具体的には、該切離帯部４１の、周回り方向に付き合わせ状に対峙された該引剥端４２、４２の何れか一方に、当該封筒１の素材よりも強度に優れた、例えば樹脂フィルムまたは厚紙などの強度に優れたシート状の素材からなる舌体４３の基端がわが、該引剥端４２、４２の間から当該封筒１内に配され、該引剥端４２、４２の何れか一方の内面に積層状且つ一体に貼着され、該舌体４３の先端がわが、該引剥端４２、４２の間から当該封筒１の外がわに露出され、当該封筒１の表面に積層状の配置となるよう延出されたものとなっている。
【００４４】
（実施例２の作用・効果）
この発明の再生利用可能な封筒１は、図６ないし図９に示すように、前記実施例１における当該再生利用可能な封筒１の切離線４が、切離帯部４１に置き換えられたものとなっているから、当該再生利用可能な封筒１から再生封筒部７を分離する利用過程には、舌体４３の外部に露出されている先端部分を把持して、引剥端４を当該再生利用可能な封筒１から外がわに引き剥がすように操作すると、該切離帯部４１の上下縁のミシン孔線４０，４０に沿って帯状の切離帯部４１が引き剥がされることとなるから、鋏やカッターなどを用いずとも、当該再生利用可能な封筒１から再生封筒部７をワンタッチで簡単に分離することができるものとなる。
【００４５】
（結  び）
叙述の如く、この発明の再生利用可能な封筒は、その新規な構成によって所期の目的を遍く達成可能とするものであり、しかも製造も容易で、従前からの再利用可能な構造を有した封筒技術に比較し、大幅に再利用の回数を増加し、貴重な紙資源および森林資源を有効活用する機能を格段に高める上、遥かに経済的な利用を実現化することができ、さらに、再利用に要する加工の工数を大幅に削減し、事務作業の負担を一段と軽減することができるものとなるから、日々多くの郵便物を受理、発送する多くの企業、および、団体はもとより、紙資源の再利用やリサイクルに熱心な一般家庭においても高く評価され、広範に渡って利用、普及していくものになると予想される。                                                                                              
【符号の説明】
【００４６】
１      再生利用可能な封筒
１０    同  封筒展開紙本体
２      表紙部
２０    同  天端
２１    同  フラップ
２２    同  底端
２３    同  ボトムフラップ
２４    同  短手方向の端（折り目）
２５    同  短手方向の端（折り目）
２６    同  切手貼着用となる余白部分
Ｘ      横幅寸法
Ｙ      縦長寸法
３      背紙部
３０    同  下背紙部
３１    同  上背紙部
Ｍ      封入口
４      切離線
４０    同  ミシン孔線（印刷表示線）
４１    同  切離帯部（帯状部）
４２    同  引剥端
４３    同  舌体
５      一次表記区画
５０    同  ミシン孔線枠
５１    同  剥がし口角部
５２    同  区画枠線
６      二次表示区画
６０    同  シート
６１    同  糊代
７      再生封筒部
Ａ      再生封筒部の縦寸法
Ｂ      封筒の切除部分の縦寸法（縦長寸法Ｙ−縦寸法Ａ）
７０    同  再生フラップ
７１    同  再生封入口
８      再生表記区画
８０    同  ミシン孔線枠
８１    同  剥がし口角部
８２    同  区画枠線
８３    同  切手貼着用となる余白部分
９      再生二次表示区画
９０    同  シート
９１    同  糊代
Ｐ１，Ｐ２      挿入紙
【要約】      （修正有）【課題】一度利用された封筒を、その後、三度以上再生利用可能とする封筒技術を提供する。【解決手段】長方形状の表紙部２の長手方向端にフラップ２１、ボトムフラップ、短手方向端に背紙部が一体化された封筒展開紙本体の縦長寸法の中央よりも底端２２寄りとなる位置に、底端２２に平行状となる切離線４が設けられ、表紙部２の切離線４よりも天端２０寄りに一次表記区画５が設けられ、一次表記区画５の内面側に二次表示区画６が設けられ、表紙部２の切離線４よりも底端２２寄りに再生表記区画８が設けられ、再生表記区画８の内面側に再生二次表示区画が設けられ、封筒展開紙本体の背紙部にボトムフラップが貼着され、天端２０に封入口が開口され、再生封筒部７が一体に準備されたものとしてなる再生利用可能な封筒１である。【選択図】図４【図１】
0006703224.tif 000002
【図２】
0006703224.tif 000003
【図３】
0006703224.tif 000004
【図４】
0006703224.tif 000005
【図５】
0006703224.tif 000006
【図６】
0006703224.tif 000007
【図７】
0006703224.tif 000008
【図８】
0006703224.tif 000009
【図９】
0006703224.tif 000010